(57)【要約】【課題】  工期を大幅に短縮して、建築コストを削減すると共に、製品管理も容易となる小容量発電設備の基礎工事システムを提供する。【解決手段】  小容量発電設備の基礎工事システムにおいて、建築床スラブ２０上に設置する基礎ユニット１０を、工場等で予め製作する工程と、基礎ユニット１０を、建築床スラブ２０上にケミカルアンカー３０で固定する工程とを、含む構成とした。  この場合、基礎ユニット１０を製品管理する工程をも含めると、製品の信頼性が向上する。  また、基礎ユニット１０と建築床スラブ２０との接合面に、接着剤又はモルタル等の接合剤を使用する工程を含めると、品質向上に繋がる。【選択図】  図４
2007262810.tif 000002
【特許請求の範囲】
【請求項１】
小容量発電設備の基礎工事システムにおいて、
建築床スラブ上に設置する基礎ユニットを、工場等で予め製作する工程と、
前記基礎ユニットを、前記建築床スラブ上にケミカルアンカーで固定する工程とを、
含むことを特徴とする小容量発電設備の基礎工事システム。
【請求項２】
小容量発電設備の基礎工事システムにおいて、
建築床スラブ上に設置する基礎ユニットを、工場等で予め製作する工程と、
前記基礎ユニットを、前記建築床スラブ上の所定箇所に設けられた鉄筋に嵌合して固着する工程とを、
含むことを特徴とする小容量発電設備の基礎工事システム。
【請求項３】
前記小容量発電設備の基礎工事システムにおいて、
前記基礎ユニットを製品管理する工程を含むことを特徴とする請求項１又は２に記載の小容量発電設備の基礎工事システム。
【請求項４】
前記小容量発電設備の基礎工事システムにおいて、
前記基礎ユニットと前記建築床スラブとの接合面に、接着剤又はモルタル等の接合剤を使用する工程を含むことを特徴とする請求項１乃至３のいずれかに記載の小容量発電設備の基礎工事システム。
【発明の詳細な説明】
【技術分野】
【０００１】
本発明は、建屋内に配置する小容量発電設備の基礎工事システムに係り、特に、工期を大幅に短縮した小容量発電設備の基礎工事システムの改良に関する。
【背景技術】
【０００２】
エネルギーシステム設置用基礎ユニットについては、特許文献１に記載されているが、一方、建屋内に配置する小容量発電設備の基礎は、建築床スラブ上で、鉄筋にコンクリートを流し込むことで築造する。
【０００３】
この従来の小容量発電設備の基礎工事システムについて、図６及び図７を用いて説明する。
図６及び図７は、従来の小容量発電設備の基礎工事システムにおける建築床スラブ上に築造する基礎に用いる鉄筋を示す図で、図６は平面図、図７は側面図である。
【０００４】
一般に、小容量発電設備の基礎工事システムにおいて、小容量発電設備の設置強度を満たす基礎の容積（重量）はメイラーの式等で計算されるが、上述したように、小容量発電設備の基礎は、建築床スラブ上で、鉄筋１００にコンクリートを流し込むことで築造する。
【０００５】
このとき、基礎と建築床スラブとの密着性を良くするために、建築床スラブに差筋を打ち込み、その上に鉄筋１００をカゴ状に組み、周囲に形枠を組んで、コンクリートを流し込み、コンクリートが固まるまでの養生期間を経て、小容量発電設備を設置することになる。
【０００６】
【特許文献１】特開２００４−３３２４５４
【発明の開示】
【発明が解決しようとする課題】
【０００７】
ところで、上記した従来の小容量発電設備の基礎工事システムでは、コンクリートが固まるまでの養生期間として、１ヶ月程度を要するため、工期が長くなり、建築コストが増大するという問題を備えている。
【０００８】
また、小容量発電設備を建屋内に設置する関係上、養生期間中は建屋の利用が制限されるために、種々の不都合が生じる。
更に、従来の小容量発電設備の基礎工事システムでは、現場毎の工事になるため、工事後の品質管理が困難となるという問題も備えている。
【０００９】
本発明は、上記課題（問題点）を解決し、工期を大幅に短縮して、建築コストを削減すると共に、製品管理も容易となる小容量発電設備の基礎工事システムを提供することを目的とする。
【課題を解決するための手段】
【００１０】
本発明の小容量発電設備の基礎工事システムは、請求項１に記載のものは、小容量発電設備の基礎工事システムにおいて、建築床スラブ上に設置する基礎ユニットを、工場等で予め製作する工程と、前記基礎ユニットを、前記建築床スラブ上にケミカルアンカーで固定する工程とを、含む構成とした。
【００１１】
請求項２に記載の小容量発電設備の基礎工事システムは、小容量発電設備の基礎工事システムにおいて、建築床スラブ上に設置する基礎ユニットを、工場等で予め製作する工程と、前記基礎ユニットを、前記建築床スラブ上の所定箇所に設けられた鉄筋に嵌合して固着する工程とを、含む構成とした。
【００１２】
請求項３に記載の小容量発電設備の基礎工事システムは、前記小容量発電設備の基礎工事システムにおいて、前記基礎ユニットを製品管理する工程を含む構成とした。
【００１３】
請求項４に記載の小容量発電設備の基礎工事システムは、前記小容量発電設備の基礎工事システムにおいて、前記基礎ユニットと前記建築床スラブとの接合面に、接着剤又はモルタル等の接合剤を使用する工程を含む構成とした。
【発明の効果】
【００１４】
本発明の小容量発電設備の基礎工事システムは、上記のように構成したために、以下のような優れた効果を有する。
（１）請求項１に記載したように構成すると、コンクリートが固まるまでの養生期間が不要になり、工期が短縮でき、建築コストを削減できると共に、養生期間中は建屋の利用が制限される不都合が回避できる。
【００１５】
（２）請求項２に記載したように構成すると、請求項１と同様に、コンクリートが固まるまでの養生期間が不要になり、工期が短縮でき、建築コストを削減できると共に、養生期間中は建屋の利用が制限される不都合が回避できる。
【００１６】
（３）請求項３に記載したように構成すると、基礎ユニットの品質管理が容易となり、製品の信頼性が向上する。
【００１７】
（４）請求項４に記載したように構成すると、基礎ユニットと建築床スラブとの密着性が良くなり、製品の高耐久性等の品質向上に繋がる。
【発明を実施するための最良の形態】
【００１８】
以下、本発明の小容量発電設備の基礎工事システムの第１及び第２の実施の形態について、図１乃至図５を用いて順次説明する。
【００１９】
第１の実施の形態：
先ず、本発明の小容量発電設備の基礎工事システムの第１の実施の形態について、図１乃至図４を用いて説明する。
図１乃至図３は、本発明の小容量発電設備の基礎工事システムにおける建築床スラブ上に基礎を固定した状況を示す図で、図１は平面図、図２は図１のＡ−Ａ断面図、図３は図１のＢ−Ｂ断面図である。
図４は、本発明の小容量発電設備の基礎工事システムの第１の実施の形態の主要工程を示す斜視図である。
【００２０】
本実施の形態の小容量発電設備の基礎工事システムでは、小容量発電設備の基礎築造工程において、建築床スラブ２０上に設置する基礎ユニット３０を、工場で予め製作する工程と、この基礎ユニット３０を、建築床スラブ２０上にケミカルアンカー３０で固定する工程と、基礎ユニット１０を製品管理する工程と、基礎ユニット１０と建築床スラブ２０との接合面に、接着剤又はモルタル等の接合剤を使用する工程とを含むことに特徴を有している。
【００２１】
図１乃至図３に、建築床スラブ２０上に基礎ユニット１０を設置した状況を示す。
また、図４において、基礎ユニット１０を建築床スラブ２０に、ケミカルアンカー３０で固定する工程を示す。
図１乃至図３において、Ｃは、ケミカルアンカー３０で基礎ユニット１０を固定するポイントを表している。
【００２２】
このように構成すると、先ず、建築床スラブ２０上に設置する基礎ユニット１０を、工場で予め製作することで、コンクリートが固まるまでの養生期間が不要になり、工期が短縮でき、建築コストを削減できると共に、養生期間中は建屋の利用が制限される不都合が回避できる。
【００２３】
また、基礎ユニット１０を製品管理する工程を含めることで、基礎ユニット１０の品質管理が容易となり、製品の信頼性が向上する。
更に、基礎ユニット１０と建築床スラブ２０との接合面に、接着剤又はモルタル等の接合剤を使用する工程を含むことにより、基礎ユニットと建築床スラブとの密着性が良くなり、製品の高耐久性等の品質向上に繋がる。
【００２４】
第２の実施の形態：
次に、本発明の小容量発電設備の基礎工事システムの第２の実施の形態について、図５を用いて説明する。
図５は、本発明の小容量発電設備の基礎工事システムの第２の実施の形態の主要工程を示す斜視図である。
【００２５】
本実施の形態の小容量発電設備の基礎工事システムでは、上記第１の実施の形態同様、小容量発電設備の基礎築造工程において、建築床スラブ５０上に設置する基礎ユニット４０を、工場で予め製作する工程と、基礎ユニット４０を製品管理する工程と、基礎ユニット４０と建築床スラブ５０との接合面に、接着剤又はモルタル等の接合剤を使用する工程とを含んでいる。
【００２６】
一方、本実施の形態では、基礎ユニット４０を、建築床スラブ５０上にケミカルアンカーで固定する替わりに、図２に示すように、基礎ユニット４０を、建築床スラブ５０上の所定箇所に設けられた鉄筋６０に嵌合して固着するようにしている点にその構成上の特徴を備えている。
【００２７】
このように構成すると、上記第１の実施の形態同様、工期が短縮でき、建築コストを削減でき、製品の信頼性が向上するという優れた効果を奏することができる。
【図面の簡単な説明】
【００２８】
【図１】本発明の小容量発電設備の基礎工事システムにおける建築床スラブ上に基礎を固定した状況を示す平面図である。
【図２】本発明の小容量発電設備の基礎工事システムにおける建築床スラブ上に基礎を固定した状況を示す図１のＡ−Ａ断面図である。
【図３】本発明の小容量発電設備の基礎工事システムにおける建築床スラブ上に基礎を固定した状況を示す図１のＢ−Ｂ断面図である。
【図４】本発明の小容量発電設備の基礎工事システムの第１の実施の形態の主要工程を示す斜視図である。
【図５】本発明の小容量発電設備の基礎工事システムの第２の実施の形態の主要工程を示す斜視図である。
【図６】従来の小容量発電設備の基礎工事システムにおける建築床スラブ上に築造する基礎に用いる鉄筋を示す平面図である。
【図７】従来の小容量発電設備の基礎工事システムにおける建築床スラブ上に築造する基礎に用いる鉄筋を示す側面図である。
【符号の説明】
【００２９】
１０、４０：基礎ユニット
２０、５０：建築床スラブ
３０：ケミカルアンカー
６０：鉄筋
【図１】
2007262810.tif 000003
【図２】
2007262810.tif 000004
【図３】
2007262810.tif 000005
【図４】
2007262810.tif 000006
【図５】
2007262810.tif 000007
【図６】
2007262810.tif 000008
【図７】
2007262810.tif 000009